【手続補正書】
【提出日】平成18年5月19日(2006.5.19)
【手続補正１】
【補正対象書類名】手続補正書
【補正対象項目名】手続補正１
【補正方法】削除
【補正の内容】
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【書類名】            明細書        
【発明の名称】      マニフェストASPにおける簡易入力システム
【特許請求の範囲】
【請求項１】
産業廃棄物の流れを最終段階まで把握するべく運用されている産業廃棄物管理票（マニフェスト）を、環境大臣が運用主体として指定する（財）日本産業廃棄物処理振興センターの電子マニフェスト（以下電子Ｍという）コンピュータに登録して電子化し情報の一元管理を行い産業廃棄物処理業界の合理化を図るには、パソコン（以下ＰＣという）による設定、登録等が相当に複雑で、かつ排出事業者、収集運搬業者、処分業者には中小企業も多く、すべての業者が対応するのは難しい状況にあるが、電子Ｍコンピュータと電子Ｍ登録・報告代行業者（以下ＡＳＰという）コンピュータと、電子Ｍ、ＡＳＰ双方の加入者である排出事業者、収集運搬業者、処分業者の各端末が、通信ネットワークを介して接続されるコンピュ−タ通信ネットワークを構築し、ＡＳＰ加入者端末の入力作業を簡素化しその状況を打開するにあたり
排出事業者端末に
電子Ｍコンピュータに通信ネットワークを介して接続し、電子ＭのＣ／Ｓ版の基本設定により電子Ｍ収集運搬業者企業コード及び電子Ｍ処分業者企業コードをキーに設定（電子Ｍコンピュータに登録）した収集運搬業者登録情報（電子Ｍ収集運搬業者企業コード、収集運搬か処分の区分、会社名、住所、ＴＥＬ等）、処分業者登録情報（電子Ｍ処分業者企業コード、収集運搬か処分の区分、会社名、住所、ＴＥＬ等）を電子Ｍの保存操作で排出事業者端末にテキスト形式で記憶保存するステップと
ＡＳＰコンピュータに通信ネットワークを介して接続され、上記ステップにより排出事業者端末に記憶保存された収集運搬業者登録情報、処分業者登録情報がＡＳＰコンピュータに送信される収集運搬業者登録情報・処分業者登録情報ＡＳＰ送信実行手段と
電子Ｍコンピュータに通信ネットワークを介して接続し、電子ＭのＣ／Ｓ版の基本設定の廃棄物の種類登録により廃棄物の種類名と廃棄物種類コードを設定（電子Ｍコンピュータに登録）し、設定した廃棄物の種類名と廃棄物種類コードを電子Ｍの保存操作で排出事業者端末に記憶保存するステップと
ＡＳＰコンピュータに通信ネットワークを介して接続され、上記ステップにより排出事業者端末に記憶保存された廃棄物の種類名と廃棄物種類コードがＡＳＰコンピュータに送信される廃棄物の種類名と廃棄物種類コードＡＳＰ送信実行手段とを備え
ＡＳＰ加入者端末に
排出事業者の排出事業場を検索するにあたり、排出事業者の電子Ｍ排出事業者企業コードをキーに該排出事業者管轄の排出事業場の排出事業場コードを関連付けて入力し、記憶保存させるステップと
ＡＳＰコンピュータに通信ネットワークを介して接続され、上記ステップにより記憶保存された電子Ｍ排出事業者企業コードと該コードに関連付けられて記憶保存された排出事業場コードをキーにＡＳＰコンピュータのＡＳＰ排出事業者登録情報＆排出事業場登録情報ファイルが検索され該電子Ｍ排出事業者企業コードと該排出事業場コードが一致した該電子Ｍ排出事業者企業コードに設定されている排出事業者登録情報（電子Ｍ排出事業者企業コード、会社名、住所、ＴＥＬ等）及び該電子Ｍ排出事業者企業コードに関連付けて設定されている該排出事業場コードに設定されている排出事業場登録情報（排出事業場コード、排出事業場名、排出事業場の住所、排出事業場のＴＥＬ等）が取得され、取得された該電子Ｍ排出事業者企業コードに設定されている排出事業者登録情報及び該電子Ｍ排出事業者企業コードに関連付けて設定されている該排出事業場コードに設定されている排出事業場登録情報が該電子Ｍ排出事業者企業コードと該排出事業場コードの関連付けが維持されたままＡＳＰ加入者端末に記憶保存される排出事業者登録情報記憶保存手段と
収集運搬業者登録情報を検索するにあたり電子Ｍ収集運搬業者企業コードを入力し、記憶保存させるステップと
ＡＳＰコンピュータに通信ネットワークを介して接続され、上記ステップにより記憶保存された電子Ｍ収集運搬業者企業コードをキーにＡＳＰコンピュータの収集運搬業者登録情報・処分業者登録情報ＡＳＰ受信ファイルが検索され、電子Ｍ収集運搬業者企業コードが一致した収集運搬業者登録情報が取得され、取得された該収集運搬業者登録情報が該電子Ｍ収集運搬業者企業コードをキーにＡＳＰ加入者端末に記憶保存される収集運搬業者登録情報記憶保存手段と
処分業者登録情報を検索するにあたり電子Ｍ処分業者企業コードを入力し、記憶保存させるステップと
ＡＳＰコンピュータに通信ネットワークを介して接続され、上記ステップにより記憶保存された電子Ｍ処分業者企業コードをキーにＡＳＰコンピュータの収集運搬業者登録情報・処分業者登録情報ＡＳＰ受信ファイルが検索され、電子Ｍ処分業者企業コードが一致した処分業者登録情報が取得され、取得された該処分業者登録情報が電子Ｍ処分業者企業コードをキーにＡＳＰ加入者端末に記憶保存される処分業者登録情報記憶保存手段と
廃棄物の種類情報を検索し登録するにあたり、廃棄物の電子Ｍ廃棄物種類コードを入力し、記憶保存させるステップと
ＡＳＰコンピュータに通信ネットワークを介して接続され、上記ステップにより記憶保存された廃棄物種類コードをキーにＡＳＰコンピュータの廃棄物の種類名・廃棄物種類コードＡＳＰ受信ファイルが検索され、廃棄物種類コードが一致した廃棄物の種類名が取得され、取得された該廃棄物の種類名が該廃棄物種類コードをキーにＡＳＰ加入者端末に記憶保存される廃棄物の種類名・廃棄物種類コード記憶保存手段と
排出事業場が自社及び業者の、本システムに参加する端末に付与したマシーン番号を入力し記憶保存する端末マシーン番号入力・記憶保存手段と
端末マシーンのカウンターにより端末単位に連続番号が発番される端末単位の連続番号発番手段と
排出事業場が業者に付与した取引先許可コードを入力し記憶保存する取引先許可コード入力・記憶保存手段と
取引先許可コード単位のカウンターにより取引先許可コード単位に連続番号が発番される取引先許可コード単位の連続番号発番手段と
ＡＳＰ伝票データを入力するにあたり、電子Ｍ排出事業者企業コードと排出事業場コードを入力すれば該電子Ｍ排出事業者企業コードがＡＳＰ管理番号の最上位の排出事業者企業コード枠に設定され、該排出事業場コードがＡＳＰ管理番号の該電子Ｍ排出事業者企業コード枠の次の排出事業場コード枠に設定されるステップと、
操作中の端末の端末マシーン番号ファィルが検索され端末マシーン番号が取得され、取得された該端末マシーン番号がＡＳＰ管理番号の該排出事業場コード枠の次の端末マシーン番号枠に設定されるステップと
操作中の端末の端末単位の連続番号発番カウンターが検索され前回発番した次の連続番号が取得され、取得された該連続番号がＡＳＰ管理番号の該端末マシーン番号枠の次の端末単位の連続番号枠に設定されるステップにより、排出事業者企業コード、排出事業場コード、端末マシーン番号、端末単位の連続番号の順に連結され、ＡＳＰ管理番号が生成され記憶保存されるＡＳＰ管理番号・端末マシーン番号記憶保存手段と
ＡＳＰ伝票データを入力するにあたり、電子Ｍ排出事業者企業コードと排出事業場コードを入力すれば該電子Ｍ排出事業者企業コードがＡＳＰ管理番号の最上位の排出事業者企業コード枠に設定され、該排出事業場コードがＡＳＰ管理番号の該排出事業者企業コード枠の次の排出事業場コード枠に設定されるステップと
取引先許可コードファィルが検索され取引先許可コードが取得され、取得された該取引先許可コードがＡＳＰ管理番号の該電子Ｍ排出事業場コード枠の次の取引先許可コード枠に設定されるステップと
取引先許可コード単位の連続番号カウンターが検索され前回発番した次の連続番号が取得され、取得された該連続番号がＡＳＰ管理番号の該取引先許可コード枠の次の取引先許可コード単位の連続番号枠に設定されるステップにより、排出事業者企業コード、排出事業場コード、取引先許可コード、取引先許可コード単位の連続番号の順に連結され、ＡＳＰ管理番号が生成され記憶保存されるＡＳＰ管理番号・取引先許可コード記憶保存手段と
ＡＳＰ伝票データを入力するにあたり、電子Ｍ排出事業者企業コードと排出事業場コードを入力すればＡＳＰ管理番号・端末マシーン番号記憶保存手段がインストールされていればＡＳＰ管理番号・端末マシーン番号記憶保存手段によりＡＳＰ管理番号が発番され、ＡＳＰ管理番号・取引先許可コード記憶保存手段がインストールされていればＡＳＰ管理番号・取引先許可コード記憶保存手段によりＡＳＰ管理番号が発番され、ＡＳＰ管理番号の第1枠の該電子Ｍ排出事業者企業コードをキーに排出事業者登録情報ファイルが検索され該コードが一致する排出事業者登録情報が取得され、次に、ＡＳＰ管理番号の第２枠の排出事業場コードをキーに、取得された該排出事業者登録情報の関連データとして記憶保存されている排出事業場登録情報が検索され該排出事業場コードと一致する排出事業場登録情報が取得され、取得された該排出事業者登録情報と該排出事業場登録情報がＡＳＰ管理番号をキーに記憶保存される排出事業者登録情報・排出事業場登録情報記憶保存手段と
上記手段に続いて、電子Ｍ収集運搬業者企業コードを入力すれば、該コードをキーに収集運搬業者登録情報ファイルが検索され該コードが一致した収集運搬業者登録情報が取得され、取得された該収集運搬業者登録情報が該ＡＳＰ管理番号をキーに記憶保存される収集運搬業者登録情報記憶保存手段と
上記手段において、収集運搬業者が自社の場合は、電子Ｍ収集運搬業者企業コード入力時にコードを入力せずにパソコンのＥＮＴＥＲキーを押せば、自社の収集運搬業者登録情報が取得され、取得された該収集運搬業者登録情報が該ＡＳＰ管理番号をキーに記憶保存される収集運搬業者自社データ簡易登録記憶保存手段と
続いて、電子Ｍ処分業者企業コードを入力すれば、該コードをキーに処分業者登録情報ファイルが検索され該コードが一致した処分業者登録情報が取得され、取得された該処分業者登録情報が該ＡＳＰ管理番号をキーに記憶保存される処分業者登録情報記憶保存手段と
上記手段において、処分業者が自社の場合は、電子Ｍ処分業者企業コード入力時にコードを入力せずにパソコンのＥＮＴＥＲキーを押せば、自社の処分業者登録情報が取得され、取得された該処分業者登録情報が該ＡＳＰ管理番号をキーに記憶保存される処分業者自社データ簡易登録記憶保存手段と
排出事業者登録情報・排出事業場登録情報記憶保存手段に続いて、収集運搬業者登録情報記憶保存手段あるいは収集運搬業者自社データ簡易登録記憶保存手段、続いて処分業者登録情報記憶保存手段あるいは処分業者自社データ簡易登録記憶保存手段により記憶保存されたキーの該ＡＳＰ管理番号とＡＳＰ伝票発行データの排出事業者登録情報、排出事業場登録情報、収集運搬業者登録情報、処分業者登録情報が伝票の所定の位置に印字されたＡＳＰ伝票が発行されるＡＳＰ伝票データ入力・取得＆伝票発行記憶保存手段と
回付され記入されたＡＳＰ伝票のデータ入力について、該ＡＳＰ伝票のＡＳＰ管理番号を入力すれば、該ＡＳＰ管理番号をキーに排出事業者登録情報、排出事業場登録情報、収集運搬業者登録情報、処分業者登録情報の各ファイルが検索されＡＳＰ管理番号が一致した排出事業者登録情報、排出事業場登録情報、収集運搬業者登録情報、処分業者登録情報が取得され、取得されたそれぞれのデータが該ＡＳＰ管理番号をキーに記憶保存され、該各ファイルにＡＳＰ管理番号が一致したデータが存在しない場合は該ＡＳＰ管理番号の第1枠の電子Ｍ排出事業者企業コードをキーに排出事業者登録情報フアイルが検索され該コードと一致する排出事業者登録情報が取得され、次に、ＡＳＰ管理番号の第２枠の排出事業場コードをキーに、取得された該排出事業者登録情報の関連データとして記憶保存されている排出事業場登録情報が検索され該排出事業場コードと一致する排出事業場登録情報が取得され、取得された該排出事業者登録情報と該排出事業場登録情報に加えて、収集運搬業者登録情報記憶保存手段あるいは収集運搬業者自社データ簡易登録記憶保存手段により収集運搬業者登録情報を設定、続いて処分業者登録情報記憶保存手段あるいは処分業者自社データ簡易登録記憶保存手段により処分業者登録情報を設定、取得された該排出事業者登録情報と該排出事業場登録情報に加えて、設定された該収集運搬業者登録情報、該処分業者登録情報が該ＡＳＰ管理番号をキーに記憶保存されるＡＳＰ管理番号によるデータ検索・入力記憶保存手段とを備え
ＡＳＰコンピュータに
電子Ｍシステムの排出事業者登録情報が電子Ｍ排出事業者企業コードをキーに入力され記憶保存され、該排出事業者の排出事業場については、排出事業場登録情報が排出事業場コードをキーに入力され記憶保存され、該排出事業場コードが該電子Ｍ排出事業者企業コードに関連付けて記憶保存されるＡＳＰ排出事業者登録情報＆排出事業場登録情報入力・記憶保存手段と
排出事業者端末がＡＳＰコンピュータに通信ネットワークを介して接続され、収集運搬業者登録情報・処分業者登録情報ＡＳＰ送信実行手段により送信されてきた、収集運搬業者登録情報、処分業者登録情報が受信され、受信された該収集運搬業者登録情報、該処分業者登録情報がＡＳＰコンピュータに記憶保存される収集運搬業者登録情報・処分業者登録情報ＡＳＰ受信記憶保存手段と
排出事業者端末がＡＳＰコンピュータに通信ネットワークを介して接続され、廃棄物の種類名と廃棄物種類コードＡＳＰ送信実行手段により送信されてきた、廃棄物の種類名と廃棄物種類コードが受信され、受信された該廃棄物の種類名と該廃棄物種類コードがＡＳＰコンピュータに記憶保存される廃棄物の種類名・廃棄物種類コードＡＳＰ受信記憶保存手段と
を備えたマニフェストＡＳＰにおける簡易入力システム
【発明の詳細な説明】
【０００１】
【発明の属する技術分野】
この発明は産業廃棄物管理票（マニフェスト）を、情報処理センターの電子マニフェストに登録して電子化するにあたり、ＰＣによる設定、登録等が相当に複雑で、かつ排出事業者、収集運搬業者、処分業者には中小企業も多く、すべての業者が対応するには難しい状況を、本発明の簡易入力システムをベースにした電子マニフェストと加入者間を取り持つサービス（ＡＳＰ）により排出事業者、収集運搬業者、処分業者においてそれぞれ個別に管理されている情報の一元管理を行い、入力作業の簡素化を実現する産業廃棄物処理全般にかかわる情報処理量の削減に関する。
【０００２】 
【従来の技術】
産業廃棄物管理票（マニフェスト）を、情報処理センターの電子マニフェストに登録して電子化するには、パソコンによる設定、登録等が相当に複雑でかつ、排出事業者、収集運搬業者、処分業者には中小企業も多くすべての業者が対応するには難しく、業界における情報の一元管理もほとんど行われておらず、排出事業者、収集運搬業者、処分業者においてそれぞれ個別に管理されているのが実情である。
また、業界における情報の一元管理を推進するにも業界全体を網羅した管理コード体系が確立されておらず、電子マニフェストのＷＥＢ版、Ｃ／Ｓ版は排出事業者が登録あるいは予約登録した時リアルタイムに電子マニフェスト番号が付与されるが上述のごとく運用に難があり、ＡＳＰの場合は電子マニフェストのＥＤＩ版による接続となり1日４回のバッチ処理でリアルタイムに電子マニフェスト番号を入手することは出来ず発番管理上に問題がある。           
【特許文献１】特願２００１−２１８８１９
【特許文献２】特願２００４−０４２１０４
【特許文献３】特願２００４−１４９７３７
【特許文献４】特願２００５−２１６０４５
【非特許文献１】（財）日本産業廃棄物処理振興センター・情報処理センター発行のＥＤＩ版電子マニフェストシステム接続仕様書（２００３年８月発行）
上記仕様書は、発送番号４３９３７３の拒絶理由通知書に対する、平成17年２月３日提出、事件の表示 特願２００４−１４９７３７の意見書の提出物件の目録の（７）である。 
【非特許文献２】（財）日本産業廃棄物処理振興センター・情報処理センター発行のＣ／Ｓ版電子マニフェストシステム操作説明書
上記操作説明書は非特許文献１記載の目録の（８）である。
【非特許文献３】（財）日本産業廃棄物処理振興センター・情報処理センター発行のＷＥＢ版電子マニフェストシステム操作説明書
上記操作説明書は非特許文献１記載の目録の（９）である。
【０００３】
【発明が解決しようとする課題】
業界における情報の一元管理
業界全体を網羅した管理コード体系の確立
発番管理と情報の一元管理による入力作業の簡素化
【０００４】
【課題を解決するための手段】  
この発明は、ＡＳＰ簡易入力システムによるデータの一元管理とＡＳＰコンピュータによる電子Ｍコンピュータへの登録・報告代行により産業廃棄物処理業界の情報管理の合理化を実現するために、排出事業者端末は通信ネットワークを介してＡＳＰコンピュータに電子Ｍコンピュータ登録用のデータ（排出事業者登録情報とその管轄下の排出事業場登録情報、収集運搬業者登録情報、処分業者登録情報、廃棄物の種類名と廃棄物種類コード等）を送信し、ＡＳＰ加入者端末は通信ネットワークを介して該電子Ｍコンピュータ登録用のデータから必要なデータをＡＳＰ簡易入力システムのマスターとして取りこみ、該マスターを利用してＡＳＰ管理番号を発番しＡＳＰ伝票を発行し、発行データを記憶保存するように構成されている。
【０００５】
また、回付されたＡＳＰ伝票に記入されたデータのＡＳＰ加入者端末への入力については、該ＡＳＰ伝票のＡＳＰ管理番号を入力すれば、該ＡＳＰ管理番号をキーに該発行データファイルが検索されＡＳＰ管理番号が一致したデータが取得され、取得された該データと該データ以外の電子Ｍコンピュータ必須項目データ（廃棄物の種類名と廃棄物種類コード、引渡し日、引渡し担当者コード、引渡し数量、運搬終了日、運搬担当者コード、処分終了日、処分担当者コード、電子Ｍの数量の単位名とその数量単位コード、荷姿名とその荷姿コード、中間処分か最終処分の区分、その他、電子Ｍが使用している方法や物質等の名称とそのコード等）が追加入力され、電子Ｍコンピュータ登録・報告データとして該ＡＳＰ管理番号をキーに記憶保存され、
【０００６】
該発行データファイルに該ＡＳＰ管理番号と一致したデータが存在しない場合は該ＡＳＰ管理番号の第1枠の電子Ｍ排出事業者企業コードをキーに排出事業者登録情報が、ＡＳＰ管理番号の第２枠の排出事業場コードをキーに排出事業場登録情報が取得され、取得されたデータに加えて収集運搬業者登録情報、処分業者登録情報及び該電子Ｍコンピュータ必須項目データを追加入力し、電子Ｍコンピュータ登録・報告データとして該ＡＳＰ管理番号をキーに記憶保存され、
【０００７】
次にＡＳＰ加入者端末は記憶保存された電子Ｍコンピュータ登録・報告データをコンピュ−タ通信ネットワークを介してＡＳＰコンピュ−タに送信、受信したＡＳＰコンピュ−タは該データを電子ＭのＥＤＩ版接続仕様に変換し、変換した該データを電子ＭのＥＤＩ版接続仕様によりコンピュ−タ通信ネットワークを介して電子Ｍコンピュータに代行送信し、ＡＳＰ加入者端末の電子Ｍコンピュータへの登録・報告代行が実現されるように構成すれば良い。
【０００８】
この発明は以下のような変形が可能である。
ＡＳＰ管理番号のバーコードをプリンターでＡＳＰ伝票に印刷しておけば、ＡＳＰ加入者端末のハンディースキャナー等でスキャニングしＡＳＰ管理番号の入力の簡素化が図れ、ＡＳＰ伝票を収集運搬業者が発行するケースが多いが収集運搬業者と処分業者が兼業の場合は、ＡＳＰ伝票データを入力するにあたり、バーコード付ならばスキャニングし、業者コード等の入力は無くＥＮＴＥＲきーを押すだけで良く、その効果は倍化され、その他の電子Ｍコンピュータ必須項目データの入力のみとなる。
なお、電子マニフェスト登録時にＡＳＰ管理番号を連絡番号（排出事業者が自由に付与できる２０桁の半角英数字）の欄に登録させ、自動的に設定されたマニフェスト番号の両方の番号を有効に利用して入力作業の簡素化と情報の一元管理が図れる。
また、ＡＳＰ管理番号・端末マシーン番号記憶保存手段の排出事業者企業コードと排出事業場コードに代えて電子Ｍ収集運搬業者企業コードあるいは電子Ｍ処分業者企業コードのどちらかを充当するか、電子Ｍ収集運搬業者企業コードと電子Ｍ処分業者企業コードの両方を充当し、充当したコードと端末マシーン番号、端末単位の連続番号の順に連結させ、ＡＳＰ管理番号が生成されるように構成し、ＡＳＰ管理番号・取引先許可コード記憶保存手段の場合は排出事業者企業コードと排出事業場コードに代えて電子Ｍ収集運搬業者企業コードあるいは電子Ｍ処分業者企業コードのどちらかを充当するか、電子Ｍ収集運搬業者企業コードと電子Ｍ処分業者企業コードの両方を充当し、充当したコードと取引先許可コード、取引先許可コード単位の連続番号の順に連結させ、ＡＳＰ管理番号が生成されるように構成すれば業者がユニークなＡＳＰ伝票を発行でき、ＡＳＰ伝票を収集運搬業者が発行するケースが多く、兼業者も多い状況の中ではＡＳＰ管理番号の機能が活用され入力作業の省力化が図れる。
【０００９】
【発明の実施の形態】
（財）日本産業廃棄物処理振興センターの電子ＭコンピュータとＡＳＰコンピュータと、電子Ｍ、ＡＳＰ双方の加入者である排出事業者、収集運搬業者、処分業者の各端末が、通信ネットワークを介して接続されるコンピュ−タ通信ネットワークを構築し、
【００１０】排出事業者端末は
【００１１】電子Ｍコンピュータに通信ネットワークを介して接続し、電子ＭのＣ／Ｓ版の基本設定により電子Ｍ収集運搬業者企業コード及び電子Ｍ処分業者企業コードをキーに設定（電子Ｍコンピュータに登録）した収集運搬業者登録情報、処分業者登録情報を電子Ｍの保存操作で排出事業者端末にテキスト形式で記憶保存し、記憶保存した該収集運搬業者登録情報、該処分業者登録情報を収集運搬業者登録情報・処分業者登録情報ＡＳＰ送信実行手段によりＡＳＰコンピュータに通信ネットワークを介して接続し、ＡＳＰコンピュータに送信し、
【００１２】電子Ｍコンピュータに通信ネットワークを介して接続し、電子ＭのＣ／Ｓ版の基本設定の廃棄物の種類登録により廃棄物の種類名と廃棄物種類コードを設定（電子Ｍコンピュータに登録）し、設定した廃棄物の種類名と廃棄物種類コードを電子Ｍの保存操作で排出事業者端末に記憶保存し、記憶保存した廃棄物の種類名と廃棄物種類コードを廃棄物の種類名と廃棄物種類コードＡＳＰ送信実行手段によりＡＳＰコンピュータに通信ネットワークを介して接続し、ＡＳＰコンピュータに送信する
【００１３】ＡＳＰ加入者端末に、
【００１４】排出事業者の排出事業場を検索するにあたり、排出事業者の電子Ｍ排出事業者企業コードをキーに該排出事業者管轄の排出事業場の排出事業場コードを関連付けて入力し記憶保存させ、排出事業者登録情報記憶保存手段によりＡＳＰコンピュータに通信ネットワークを介して接続させ、記憶保存させた該電子Ｍ排出事業者企業コードと該コードに関連付けて記憶保存させた該排出事業場コードをキーにＡＳＰコンピュータのＡＳＰ排出事業者登録情報＆排出事業場登録情報ファイルを検索し、該電子Ｍ排出事業者企業コードと該排出事業場コードが一致した該電子Ｍ排出事業者企業コードに設定されている排出事業者登録情報及び該電子Ｍ排出事業者企業コードに関連付けて設定されている該排出事業場コードに設定されている排出事業場登録情報を取得し、取得した該電子Ｍ排出事業者企業コードに設定されている排出事業者登録情報及び該電子Ｍ排出事業者企業コードに関連付けて設定されている該排出事業場コードに設定されている排出事業場登録情報を該電子Ｍ排出事業者企業コードと該排出事業場コードの関連付けが維持されたまま記憶保存し
【００１５】収集運搬業者登録情報を検索するにあたりＡＳＰ加入者端末に電子Ｍ収集運搬業者企業コードを入力し記憶保存させ、収集運搬業者登録情報記憶保存手段によりＡＳＰコンピュータに通信ネットワークを介して接続させ、記憶保存させた該電子Ｍ収集運搬業者企業コードをキーにＡＳＰコンピュータの収集運搬業者登録情報・処分業者登録情報ＡＳＰ受信ファイルを検索させ、電子Ｍ収集運搬業者企業コードが一致した収集運搬業者登録情報を取得させ、取得させた該収集運搬業者登録情報を該電子Ｍ収集運搬業者企業コードをキーに記憶保存させ、
【００１６】処分業者登録情報を検索するにあたりＡＳＰ加入者端末に電子Ｍ処分業者企業コードを入力し記憶保存させ、処分業者登録情報記憶保存手段によりＡＳＰコンピュータに通信ネットワークを介して接続させ、記憶保存させた該電子Ｍ処分業者企業コードをキーにＡＳＰコンピュータの収集運搬業者登録情報・処分業者登録情報ＡＳＰ受信ファイルを検索させ、電子Ｍ処分業者企業コードが一致した処分業者登録情報を取得させ、取得させた該処分業者登録情報を電子Ｍ処分業者企業コードをキーに記憶保存させ、
【００１７】廃棄物の種類情報を検索しＡＳＰ加入者端末に記憶保存するにあたり、廃棄物の電子Ｍ廃棄物種類コードを入力し記憶保存させ、廃棄物の種類名・廃棄物種類コード記憶保存手段によりＡＳＰコンピュータに通信ネットワークを介して接続させ、記憶保存させた該廃棄物種類コードをキーにＡＳＰコンピュータの廃棄物の種類名・廃棄物種類コードＡＳＰ受信ファイルを検索させ、廃棄物種類コードが一致した廃棄物の種類名を取得させ、取得させた該廃棄物の種類名を該廃棄物種類コードをキーに記憶保存させ、
【００１８】端末マシーン番号入力・記憶保存手段により排出事業場が自社及び業者の、本システムに参加する端末に付与したマシーン番号を入力し記憶保存し
【００１９】端末単位の連続番号発番手段により端末単位の連続番号をカウンターから発番させ
【００２０】取引先許可コード入力・記憶保存手段により排出事業場が業者に付与した取引先許可コードを入力し記憶保存させ
【００２１】取引先許可コード単位の連続番号発番手段により取引先許可コード単位のカウンターにより取引先許可コード単位に連続番号を発番させるように構成し、
【００２２】そして、ＡＳＰ伝票データを入力するにあたり、ＡＳＰ管理番号・端末マシーン番号記憶保存手段により電子Ｍ排出事業者企業コードと排出事業場コードを入力し該電子Ｍ排出事業者企業コードをＡＳＰ管理番号の最上位の排出事業者企業コード枠に設定し、該排出事業場コードをＡＳＰ管理番号の該電子Ｍ排出事業者企業コード枠の次の排出事業場コード枠に設定させ、
【００２３】操作中の端末の端末マシーン番号ファィルを検索させ端末マシーン番号を取得させ、取得させた該端末マシーン番号をＡＳＰ管理番号の該排出事業場コード枠の次の端末マシーン番号枠に設定させ、
【００２４】操作中の端末の端末単位の連続番号発番カウンターを検索させ前回発番した次の連続番号を取得させ、取得させた該連続番号をＡＳＰ管理番号の該端末マシーン番号枠の次の端末単位の連続番号枠に設定させ、
【００２５】排出事業者企業コード、排出事業場コード、端末マシーン番号、端末単位の連続番号の順に連結させ、ＡＳＰ管理番号を生成させ記憶保存させ、
【００２６】ＡＳＰ伝票データを入力するにあたり、ＡＳＰ管理番号・取引先許可コード記憶保存手段により電子Ｍ排出事業者企業コードと排出事業場コードを入力し該電子Ｍ排出事業者企業コードをＡＳＰ管理番号の最上位の排出事業者企業コード枠に設定させ、該排出事業場コードをＡＳＰ管理番号の該排出事業者企業コード枠の次の排出事業場コード枠に設定させ、
【００２７】取引先許可コードファィルを検索させ取引先許可コードを取得させ、取得させた該取引先許可コードをＡＳＰ管理番号の該電子Ｍ排出事業場コード枠の次の取引先許可コード枠に設定させ、
【００２８】取引先許可コード単位の連続番号カウンターを検索させ前回発番した次の連続番号を取得させ、取得させた該連続番号をＡＳＰ管理番号の該取引先許可コード枠の次の取引先許可コード単位の連続番号枠に設定させ、
【００２９】排出事業者企業コード、排出事業場コード、取引先許可コード、取引先許可コード単位の連続番号の順に連結され、ＡＳＰ管理番号を生成させ記憶保存させ、
【００３０】ＡＳＰ伝票データを入力するにあたり、排出事業者登録情報・排出事業場登録情報記憶保存手段により電子Ｍ排出事業者企業コードと排出事業場コードを入力しＡＳＰ管理番号・端末マシーン番号記憶保存手段がインストールされていればＡＳＰ管理番号・端末マシーン番号記憶保存手段によりＡＳＰ管理番号が発番され、ＡＳＰ管理番号・取引先許可コード記憶保存手段がインストールされていればＡＳＰ管理番号・取引先許可コード記憶保存手段によりＡＳＰ管理番号が発番され、ＡＳＰ管理番号の第1枠の該電子Ｍ排出事業者企業コードをキーに排出事業者登録情報ファイルが検索され該コードと一致する排出事業者登録情報が取得され、続いてＡＳＰ管理番号の第２枠の排出事業場コードをキーに、取得された該排出事業者登録情報の関連データとして記憶保存されている排出事業場登録情報が検索され該排出事業場コードと一致する排出事業場登録情報が取得され、取得された該排出事業者登録情報と該排出事業場登録情報がＡＳＰ管理番号をキーに記憶保存され、
【００３１】続いて、収集運搬業者登録情報記憶保存手段により電子Ｍ収集運搬業者企業コードを入力し、該コードをキーに収集運搬業者登録情報ファイルが検索され該コードと一致した収集運搬業者登録情報が取得され、取得された該収集運搬業者登録情報が該ＡＳＰ管理番号をキーに記憶保存され、
【００３２】上記（００３１）において、収集運搬業者が自社の場合は収集運搬業者自社データ簡易登録記憶保存手段により電子Ｍ収集運搬業者企業コード入力時にコードを入力せずにパソコンのＥＮＴＥＲキーを押せば、自社の収集運搬業者登録情報が取得され、取得された該収集運搬業者登録情報が該ＡＳＰ管理番号をキーに記憶保存され、
【００３３】続いて、処分業者登録情報記憶保存手段により電子Ｍ処分業者企業コードを入力し、該コードをキーに処分業者登録情報ファイルが検索され該コードと一致した処分業者登録情報が取得され、取得された該処分業者登録情報が該ＡＳＰ管理番号をキーに記憶保存され、
【００３４】上記（００３３）において、処分業者が自社の場合は処分業者自社データ簡易登録記憶保存手段により電子Ｍ処分業者企業コード入力時にコードを入力せずにパソコンのＥＮＴＥＲキーを押せば、自社の処分業者登録情報が取得され、取得された該処分業者登録情報が該ＡＳＰ管理番号をキーに記憶保存され、
【００３５】ＡＳＰ伝票データ入力・取得＆伝票発行記憶保存手段により排出事業者登録情報・排出事業場登録情報記憶保存手段に続いて、収集運搬業者登録情報記憶保存手段あるいは収集運搬業者自社データ簡易登録記憶保存手段、続いて処分業者登録情報記憶保存手段あるいは処分業者自社データ簡易登録記憶保存手段により記憶保存したキーの該ＡＳＰ管理番号とＡＳＰ伝票発行データの排出事業者登録情報、排出事業場登録情報、収集運搬業者登録情報、処分業者登録情報が伝票の所定の位置に印字されたＡＳＰ伝票が発行されるように構成し
【００３６】上記（００３５）により、ユニークなＡＳＰ管理番号を発番することができ、かつ排出事業者、排出事業場のコードを２度入力することなく（ＡＳＰ管理番号に含まれているコードをそのまま活用）収集運搬業者、処分業者（業者が発行する場合は自社の登録は必要がなく兼業者の場合は入力しなくて良い・・自社のコード入力時にＥＮＴＥＲキーを押す）を追加入力するだけで排出事業者、排出事業場、収集運搬業者、処分業者等においてＡＳＰ管理番号を記載したＡＳＰ伝票が発行できる。
【００３７】更に、回付し記入したＡＳＰ伝票のデータ入力について、ＡＳＰ管理番号によるデータ検索・入力記憶保存手段により該ＡＳＰ伝票のＡＳＰ管理番号を入力し、該ＡＳＰ管理番号をキーに排出事業者登録情報、排出事業場登録情報、収集運搬業者登録情報、処分業者登録情報の各ファイルが検索され、ＡＳＰ管理番号が一致した排出事業者登録情報、排出事業場登録情報、収集運搬業者登録情報、処分業者登録情報が取得され、取得されたそれぞれのデータが該ＡＳＰ管理番号をキーに記憶保存され、
【００３８】排出事業者登録情報、排出事業場登録情報、収集運搬業者登録情報、処分業者登録情報の各ファイルにＡＳＰ管理番号が一致したデータが存在しない場合は該ＡＳＰ管理番号の第1枠の電子Ｍ排出事業者企業コードをキーに排出事業者登録情報フアイルが検索され該コードと一致する排出事業者登録情報が取得され、続いてＡＳＰ管理番号の第２枠の排出事業場コードをキーに、取得された該排出事業者登録情報の関連データとして記憶保存されている排出事業場登録情報が検索され該排出事業場コードと一致する排出事業場登録情報が取得され、取得された該排出事業者登録情報と該排出事業場登録情報に加えて、収集運搬業者登録情報記憶保存手段あるいは収集運搬業者自社データ簡易登録記憶保存手段により収集運搬業者登録情報を設定、続いて処分業者登録情報記憶保存手段あるいは処分業者自社データ簡易登録記憶保存手段により処分業者登録情報を設定、取得した該排出事業者登録情報と該排出事業場登録情報に加えて、設定した該収集運搬業者登録情報、該処分業者登録情報が該ＡＳＰ管理番号をキーに記憶保存され
【００３９】（００３７）又は（００３８）により記憶保存されたデータ以外の電子Ｍコンピュータ必須項目データ（廃棄物の種類名と廃棄物種類コード、引渡し日、引渡し担当者コード、引渡し数量、運搬終了日、運搬担当者コード、処分終了日、処分担当者コード、電子Ｍの数量の単位名とその数量単位コード、荷姿名とその荷姿コード、中間処分か最終処分の区分、その他、電子Ｍが使用している方法や物質等の名称とそのコード等）を追加入力し、電子Ｍコンピュータ登録・報告データとして該ＡＳＰ管理番号をキーに記憶保存させ、
【００４０】記憶保存された電子Ｍコンピュータ登録・報告データをコンピュ−タ通信ネットワークを介してＡＳＰコンピュ−タに送信されるように構成すれば良い。
【００４１】ＡＳＰコンピュータに、
【００４２】ＡＳＰ排出事業者登録情報＆排出事業場登録情報入力・記憶保存手段により電子Ｍシステムの排出事業者登録情報が電子Ｍ排出事業者企業コードをキーに入力され記憶保存され、該排出事業者の排出事業場については、排出事業場登録情報が排出事業場コードをキーに入力され記憶保存され、該排出事業場コードが該電子Ｍ排出事業者企業コードに関連付けて記憶保存され
【００４３】排出事業者端末がＡＳＰコンピュータに通信ネットワークを介して接続され、収集運搬業者登録情報・処分業者登録情報ＡＳＰ送信実行手段により送信されてきた、収集運搬業者登録情報、処分業者登録情報が収集運搬業者登録情報・処分業者登録情報ＡＳＰ受信記憶保存手段により受信され、受信された該収集運搬業者登録情報、該処分業者登録情報がＡＳＰコンピュータに記憶保存され
【００４４】排出事業者端末がＡＳＰコンピュータに通信ネットワークを介して接続され、廃棄物の種類名と廃棄物種類コードＡＳＰ送信実行手段により送信されてきた、廃棄物の種類名と廃棄物種類コードが廃棄物の種類名・廃棄物種類コードＡＳＰ受信記憶保存手段により受信され、受信された該廃棄物の種類名と該廃棄物種類コードがＡＳＰコンピュータに記憶保存されるように構成し
【００４５】（００４０）によりＡＳＰ加入者端末からコンピュ−タ通信ネットワークを介してＡＳＰコンピュ−タに送信されてきた電子Ｍコンピュータ登録・報告データを受信し、受信した該データを電子ＭのＥＤＩ版接続仕様に変換し、変換した該データを電子ＭのＥＤＩ版接続仕様によりコンピュ−タ通信ネットワークを介して電子Ｍコンピュータに代行送信し、ＡＳＰ加入者端末の電子Ｍコンピュータへの登録・報告代行が実現されるように構成すれば良い。
【００４６】
【発明の効果】
排出事業者が電話等により収集運搬業者に作業依頼をする時に自社のＰＣにＡＳＰ番号を発番して収集運搬業者、処分業者の企業コードを確認しながらＰＣに入力しＡＳＰ伝票を発行する事ができ、あるいは排出事業者から電話等により収集運搬の作業依頼を受けた収集運搬業者が自社のＰＣにＡＳＰ番号を発番して処分業者の企業コードを確認しながらＡＳＰ伝票を発行し作業指示書や配車、運行管理データに利用する事ができ、かつ、ＡＳＰ伝票のデータ入力においては、排出事業場、収集運搬業者、処分業者各々においてＡＳＰ伝票のＡＳＰ番号を入力しいくつかの項目を追加入力するだけで良く、ＡＳＰ加入者端末は該登録データを一括してＡＳＰコンピュータへ送信、ＡＳＰコンピュータは電子ＭのＥＤＩ版接続仕様により電子Ｍコンピュータへ送信（登録・報告代行）すれれば業界における情報の一元管理とあいまって業界全体における情報処理の大幅な省力化が図れる。